(57)【特許請求の範囲】
【請求項１】
移動通信システムで、基地局(ＢＴＳ)が基地局制御器(ＢＳＣ)に電力制御関連情報を送信するための方法において、
順方向電力制御モード(ＦＰＣ_ＭＯＤＥ)を確認する過程と、
前記順方向電力制御モードが低速電力制御を示す場合、移動局から逆方向パイロットチャネルを通じてフレーム期間内に一つの電力制御命令を示すイレイザー指示ビット(Eraser indicator bit、ＥＩＢ)を受信する過程と、
前記受信されたイレイザー指示ビットを含む逆方向付加チャネルメッセージを前記基地局制御器に伝送する過程と、を含むことを特徴とする方法。
【請求項２】
前記基地局制御器は、前記逆方向付加チャネルメッセージに含まれた前記イレイザー指示ビットの状態に基づいて、順方向付加チャネルの電力制御のための基準値(threshold)を決定する過程をさらに含むことを特徴とする請求項１に記載の方法。
【請求項３】
前記イレイザー指示ビットの状態は、逆方向パイロットチャネルの電力制御グループ中、奇数番目に該当する８個の電力制御ビットを使用して決定されることを特徴とする請求項１に記載の方法。
【請求項４】
移動通信システムで、基地局制御器(ＢＳＣ)が基地局(ＢＴＳ)に電力制御情報を伝送するための方法において、
前記基地局から逆方向付加チャネルフレームと各種電力制御情報を含む逆方向付加チャネルメッセージを受信する過程と、
前記逆方向付加チャネルメッセージからフレーム期間内に一つの電力制御命令を示すイレイザー指示ビット(Eraser indicator biｔ、ＥＩＢ)を抽出する過程と、
前記イレイザー指示ビットに基づいて、順方向電力制御のための基準値を決定する過程と、
前記決定された基準値を含む順方向付加チャネルメッセージを前記基地局に伝送する過程と、を含むことを特徴とする方法。
【請求項５】
前記逆方向付加チャネルメッセージから逆方向付加チャネルフレームの品質に関する情報を抽出する過程と、
前記抽出された品質情報に基づいて、逆方向電力制御情報の調整が必要な場合、前記基地局に伝送される順方向付加チャネルメッセージに含まれた逆方向電力制御のための基準値を変更する過程と、をさらに含むことを特徴とする請求項４に記載の方法。
【請求項６】
移動通信システムで、基地局(ＢＴＳ)が基地局制御器(ＢＳＣ)に電力制御情報を送信するための方法において、
移動局から受信される付加チャネルフレームのエネルギーを測定して不連続伝送(ＤＴＸ)区間を検出する過程と、
前記不連続伝送区間が検出される場合、順方向電力制御モード(ＦＰＣ_ＭＯＤＥ)を確認する過程と、
前記順方向電力制御モードに従って、逆方向パイロットチャネルから電力制御命令を抽出する過程と、
前記電力制御命令が電力制御ビット(ＰＣＢ)である場合、電力制御ビットに従って順方向付加チャネルを高速電力制御する過程と、
前記電力制御命令がイレイザー指示ビット(ＥＩＢ)である場合、イレイザー指示ビットの状態値を含む逆方向付加チャネルメッセージを前記基地局制御器に伝送する過程と、を含むことを特徴とする方法。
【発明の詳細な説明】
【０００１】
【発明の属する技術分野】
本発明は符号分割多元接続方式(Code Division Multiple Access:以下、ＣＤＭＡ)の移動通信システムに関したもので、特に、大容量データを伝送する付加チャネル(Supplemental Channel、以下、ＳＣＨ)の順方向低速電力制御を基地局(Base station Transceiver System:以下、ＢＴＳ)と基地局制御器(Base Station Controller:以下、ＢＳＣ)で支援するための装置及び方法に関する。
【０００２】
【従来の技術】
一般的に不連続伝送(Discontinuous Transmission、以下、ＤＴＸ)モードとは、有線システムまたは移動通信システムで伝送するデータがある場合のみに、フレーム単位にデータを伝送するモードを意味する。前記不連続伝送モードを使用する場合、下記のような利点がある。実際にデータが存在する場合のみに、フレーム単位のデータを伝送するので、伝送電力を最小化することができ、システムに与える干渉信号の強さが減少することにより、全体システムの容量が増加するようになる。
【０００３】
しかし、前記ＤＴＸモードは、送信器からフレームの伝送が不規則的であるので、受信器はフレームが伝送されたか否かを判断できない。このため、基地局は順方向電力制御を自体的に遂行できなくようになる。具体的に説明すると、移動局の受信器がデータの伝送を正確に判断できない場合、移動局の受信器はＣＲＣ(Cyclic Redundancy code:以下、ＣＲＣ)などを含む復号器の判定変数及び復号された結果を信頼できないようになる。このように判定された結果を信頼できないので、既存に不連続伝送モードで使用している方法では、移動局の伝送電力を正確に制御できなかった。
【０００４】
前記不連続伝送モードは専用制御チャネル(ＤＣＣＨ)と付加チャネル(ＳＣＨ)でそれぞれ支援する。前記専用制御チャネルは上位から伝送するデータが発生した場合のみに、データを伝送する不連続伝送モード(Discontinuous Transmission Mode)を支援するが、このような特徴のため、効率的なパケットサービスのための制御チャネルとして適合である。このＤＴＸモード区間の間、ナルフレームを伝送して電力制御を遂行することができる。付加チャネルも伝送するデータがない間にはどのデータも伝送しない不連続伝送モードを支援する。不連続伝送区間の間、付加チャネルはどのフレームも伝送しない。
【０００５】
図１は一般的な移動通信システムの構成を示す図であり、通常的な移動通信システムのＭＳＣ(Mobile Switching Center)と基地局システム、基地局システムと基地局システム間のデジタル無線インタフェース(Digital Air Interface)に対する３Ｇ ＩＯＳ(Interoperability Specifications)の参照モデル(Reference Model)を示す図である。
【０００６】
前記図１を参照すると、ＭＳＣ２０とＢＳＣ３２間の信号はＡ１インタフェース、使用者情報はＡ２／Ａ５(回線データ専用)インタフェースとして定義されている。Ａ３インタフェースは、基地局システムと基地局システム間のソフト／ソフタハンドオフ(soft／softer handoff)のために、対象基地局システム(対象 ＢＳ)４０をソース基地局システム(Source ＢＳ)３０のフレーム選択／分配機能部(ＳＤＵ:Frame Selection／Distribution Unit Function)３４に連結するために定義されたもので、このＡ３インタフェースを通じて対象基地局システム４０とソース基地局システム３０のＳＤＵ３４間の信号及び使用者データが伝送される。Ａ７インタフェースは基地局システム間のソフト／ソフタハンドオフのために、対象基地局システム４０とソース基地局システム３０間の信号送受信のために定義されたものである。前記ＣＤＭＡ移動通信システムの有線通信線路は、ＭＳＣ２０から基地局システム３０に向ける順方向線路(Forward Link)と、反対に基地局システム３０からＭＳＣ２０に向ける逆方向線路(Reverse Link)と、そして基地局システム３０と基地局システム４０間の線路と、からなる。前記ＭＳＣ２０は、呼制御及び移動管理ブロック(call Control and Mobility Management block)２２、及びスイッチングブロック２４を含む。前記ＭＳＣ２０はインターワーキング機能(ＩＷＦ:Inter Working Function)ブロック５０を通じてインターネット(Internet)のようなデータ網(図示さず)に接続される。Ａ８／Ａ９インタフェースは、ＢＳとＰＣＦ(Packet Control Function)６０間の信号と使用者データ伝送インタフェースである。Ａ１０／Ａ１１インタフェースは、ＰＣＦ６０とＰＤＳＮ(Packet Data Serving Node)７０間の信号及び使用者データ伝送インタフェースである。
【０００７】
図２は通常的なＢＴＳとＢＳＣ(より具体的にはＢＳＣ−ＳＤＵ)間のＳＣＨ信号送受信流れを示す図である。このような動作はソース基地局３０内部のＢＳＣ３２(ＢＳＣ−ＳＤＵ３４)とＢＴＳ３６間に遂行されることもでき、対象基地局４０内部のＢＳＣ４２とＢＴＳ４４間に遂行されることもできる。
【０００８】
前記図２を参照すると、１１段階でＢＴＳはＢＳＣに伝送するフレームの種類を決定し、逆方向ＳＣＨメッセージを生成する。この時、生成される逆方向ＳＣＨメッセージはＭＳ(図示さず)から予め設定された周期に受信された逆方向ＳＣＨフレームに対応して、前記予め設定された周期ごとに(例:２０ｍｓ)ＢＳＣに伝送するためのメッセージである。前記１１段階の動作は図３Ａ及び３Ｂを参照してより詳細に後述する。１２段階でＢＴＳは前記生成された逆方向ＳＣＨメッセージをＢＳＣに伝送するが、この時、伝送される逆方向ＳＣＨメッセージにはデータ／ナル／アイドル／イレイザーフレーム(Data／Null／Idle／Erasure Frame)が含まれることができる。１３段階でＢＳＣは前記逆方向ＳＣＨメッセージを受信及び処理し、順方向ＳＣＨメッセージを生成する。この時、前記逆方向ＳＣＨメッセージを受信する動作は図５を参照してより詳細に後述される。前記逆方向ＳＣＨメッセージを処理し、順方向ＳＣＨメッセージを生成する動作は図４Ａ及び４Ｂを参照してより詳細に後述される。１４段階でＢＳＣは前記１３段階で生成された順方向ＳＣＨメッセージをＢＴＳに伝送する。この時、前記順方向ＳＣＨメッセージにはデータ／ナル／アイドルフレームが含まれることができる。１５段階でＢＴＳは前記順方向ＳＣＨメッセージに含まれている電力制御(power control)情報に基づいて、ＭＳに対する順方向／逆方向電力制御を遂行する。このような順方向ＳＣＨメッセージを受信する動作は、図６を参照してより具体的に後述される。
【０００９】
前記図２に示された動作を要約すると、ＢＴＳは予め設定された周期(２０ｍｓ)にＭＳからのデータフレームを受信した後、前記設定周期に逆方向ＳＣＨメッセージを生成してＢＳＣに伝送する。ＢＳＣは前記逆方向ＳＣＨメッセージを受信して処理した後、順方向ＳＣＨメッセージを生成してＢＴＳに伝送する。すると、ＢＴＳは前記順方向ＳＣＨメッセージに含まれた電力制御情報に基づいて、ＭＳに対する電力制御動作を遂行する。
【００１０】
図３は従来技術による逆方向ＳＣＨメッセージ送信動作の処理流れを示す図である。このような動作はＢＴＳがＭＳから予め設定された周期に受信されるフレームを逆方向ＳＣＨメッセージとしてＢＳＣ−ＳＤＵに伝送する処理流れである。下記でＢＳＣ−ＳＤＵとＢＴＳ間に送受信される順方向／逆方向ＳＣＨメッセージは、図７乃至図１０に示されたＦＣＨメッセージをそのまま使用する。
【００１１】
前記図３を参照すると、先ず１０１段階でＢＴＳはＭＳとの無線資源を確保し、ＭＳを捕捉(acquisition)しているかを確認する。前記１０１段階でＭＳとの無線資源を確保及びＭＳを捕捉していないことが確認される場合には、１０４段階で現在ＭＳと逆方向に同期を合わせていない状態であることを判断し、ＢＳＣ−ＳＤＵとＢＴＳ間にも同期を合わせるために、図１０に示されたＩＳ−２０００逆方向ＳＣＨメッセージ中でフレーム内容(Frame Content)をアイドルフレーム(Idle Frame)に指定する。ＢＳＣ−ＳＤＵとＢＴＳ間に同期を合わせている途中であるので、前記１０４段階を遂行した後、１０５段階でＢＴＳはＢＳＣ−ＳＤＵに伝送する逆方向ＳＣＨメッセージ中で電力制御に関連された情報(ＦＱＩ、Reverse Link Quality)をＢＳＣ−ＳＤＵが無視できるように指定する。例えば、前記逆方向ＳＣＨメッセージ中でＦＱＩは“０”に指定し、前記逆方向リンク品質(Reverse Link Quality)は“０００００００”に指定する。１０６段階では前記ＢＴＳはＩＳ−２０００逆方向ＳＣＨメッセージをＢＳＣ−ＳＤＵに伝送する。
【００１２】
一方、前記１０１段階で前記ＢＴＳがＭＳとの無線資源を獲得し、ＭＳを捕捉していることが確認される場合に、１０２段階でＢＴＳはＭＳから受信したデータフレームの品質(Quality)を確認する。前記１０２段階で受信データフレームの品質がよくない場合に、１０４−１段階で前記ＢＴＳは逆方向ＳＣＨメッセージのフレーム内容(Frame Content)をイレイザーフレーム(Erasure Frame)に指定する。１０５−１段階でＢＴＳは逆方向ＳＣＨメッセージの電力制御情報を無視できる値に指定する。例えば、前記逆方向ＳＣＨメッセージで、ＦＱＩは“０”に指定し、前記逆方向リンク品質は“０００００００媒に指定する。１０６−１段階でＢＴＳは受信フレームの品質がよくないので、どのデータもないＩＳ−２０００逆方向ＳＣＨメッセージをＢＳＣ−ＳＤＵに伝送する。すると、ＢＳＣ−ＳＤＵではイレイザーフレーム(Erasure Frame)を認識し、ＭＳに対する逆方向電力制御に関して伝送電力増加(up)を要求するようになる。即ち、ＢＳＣ−ＳＤＵはＭＳから受信したデータフレームの品質がよくないので、ＭＳが電力を増加させデータフレームを伝送するように要求する。
【００１３】
前記１０２段階で受信データフレームの品質がよいことと判断される場合に、１０３段階でＢＴＳはＭＳから逆方向ＳＣＨフレーム(Frame)を受信する間、ＤＴＸモードであるかを検出(detect)する。この時、ＤＴＸモードの検出方法は、既存のＭＳとＢＴＳ間の無線伝送区間でＤＴＸモードを検出する方法をそのまま使用することができる。ＤＴＸモードが検出されない場合には、１０４−２段階に進行し、ＤＴＸモードが検出される場合には１０４−３段階に進行する。
【００１４】
前記１０４−２段階でＢＴＳは前記逆方向ＳＣＨメッセージのフレーム内容(Frame Content)をデータフレーム(Data Frame)に指定し、１０６−２段階でＢＴＳはＭＳから受信されたＳＣＨフレームに基づいて前記逆方向ＳＣＨメッセージの電力制御情報を指定する。ここで、順方向電力制御である場合には、前記図１０の逆方向ＳＣＨメッセージ中でＦＰＣ＿ＭＯＤＥ＝００１または０１０の場合に限って、ＢＴＳは逆方向パイロットチャネルから電力制御ビット(ＰＣＢ)を抽出して内部的に高速電力制御を遂行する。１０６−２段階でＢＴＳはＭＳからの２０ｍｓ受信データフレーム内にあるデータをカプセル化(encapsulation)して、ＩＳ−２０００逆方向ＳＣＨフレームメッセージを生成し、生成されたＩＳ−２０００逆方向ＳＣＨメッセージをＢＳＣ−ＳＤＵに伝送する。
【００１５】
前記１０３段階でＤＴＸモードが検出される場合には、１０４−３段階でＢＴＳは前記逆方向ＳＣＨメッセージのフレーム内容をナルフレーム(NULL Frame)に指定する。１０５−３段階でＢＴＳは前記逆方向ＳＣＨメッセージ中で、フレーム品質指示(ＦＱＩ:Frame Quality Indicator)を“０”に指定し、“逆方向リンク品質(Reverse Link Quality)”を逆方向パイロットチャネルの受信強さ(Ec／Io)値に指定する。即ち、前記逆方向ＳＣＨがＤＴＸモードに動作する時、逆方向リンクに存在する逆方向パイロットチャネルを基準にしてＳＣＨの逆方向リンク電力制御を遂行する。一方、順方向電力制御の場合には、図１０の逆方向ＳＣＨメッセージ中でＦＰＣ＿ＭＯＤＥ＝００１または０１０の場合に限って、ＢＴＳは逆方向パイロットチャネルから電力制御ビット(ＰＣＢ)を抽出して内部的に高速電力制御を遂行する。１０６−３段階で、ＢＴＳはＭＳから受信された２０ｍｓフレームにデータがないので、どのデータもない前記ＩＳ−２０００逆方向ＳＣＨメッセージを生成し、前記生成されたＩＳ−２０００逆方向ＳＣＨメッセージをＢＳＣ−ＳＤＵに伝送する。
【００１６】
図４Ａ及び図４Ｂは従来技術による順方向ＳＣＨメッセージ送信動作の処理流れを示す図である。このような動作はＢＳＣ−ＳＤＵが予め設定された周期(２０ｍｓ)に順方向ＳＣＨメッセージをＢＴＳに伝送する処理流れである。下記でＢＳＣ−ＳＤＵとＢＴＳ間に送受信される順方向／逆方向ＳＣＨメッセージは、図７乃至図１０に示されたＦＣＨメッセージをそのまま使用する。
【００１７】
前記図４Ａを参照すると、２０１段階でＢＳＣ−ＳＤＵは、先ずＭＳとの順方向無線資源を確保し、ＭＳを捕捉(acquisition)しているかを確認する。ＭＳとの順方向無線資源確保及びＭＳを捕捉していない場合に、２０３段階でＢＳＣ−ＳＤＵは現在ＭＳと順方向に同期を合わせようとしている状態を確認し、ＢＳＣ−ＳＤＵとＢＴＳ間に同期を合わせるために図８のＩＳ−２０００順方向ＳＣＨメッセージ中でフレーム内容(Frame Content)をアイドルフレーム(Idle Frame)に指定する。この時、同期を合わせている途中であるので、２０６段階でＢＳＣ−ＳＤＵはＢＴＳに伝送する順方向ＳＣＨメッセージ中で電力制御に関連された情報を適切に指定する。この時、順方向電力制御情報(ＦＰＣ：gain ratio)はＭＳを制御するための初期値に指定し、逆方向の電力制御情報(Reverse：Outer Loop Threshold；ＯＬＴ)はＢＴＳから２０ｍｓごとに受信された逆方向ＳＣＨメッセージに含まれた電力制御情報(ＦＱＩ、Reverse Link Quality)を参照して順方向ＦＣＨ／ＤＣＣＨと同一にまたは比例するように内部的に指定する。必要な場合、逆方向電力制御は順方向ＦＣＨ／ＤＣＣＨメッセージのReverse：ＯＬＴに基づいて遂行される。２０７段階でＢＳＣ−ＳＤＵは前記電力制御情報が指定された順方向ＳＣＨメッセージをＢＴＳに伝送する。この時、伝送される順方向ＳＣＨメッセージにはデータがない。
【００１８】
一方、前記２０１段階でＭＳとの無線資源確保及びＭＳを捕捉していることが確認される場合に、２０２段階でＢＳＣ−ＳＤＵはＢＳＣまたは外部の網要素(例：ＰＤＳＮ)からＭＳに伝送するデータがあるかを確認する。または逆方向パイロットの良くない受信信号対雑音比(ＳＮＲ)のため、順方向でＤＴＸモードに動作すべきであるかを検査する。ＭＳに伝送するデータがない場合には、２０３−１段階に進行し、ＭＳに伝送するデータがある場合には、２０３−２段階に進行する。
【００１９】
前記２０３−１段階でＢＳＣ−ＳＤＵは前記順方向ＳＣＨメッセージのフレーム内容(Frame Content)をナルフレーム(Null Frame)に指定する。次に、２０４Ａ段階でＢＳＣ−ＳＤＵは最近にＢＴＳから受信した逆方向ＳＣＨフレームのフレーム内容(Frame Content)がナルフレーム(Null Frame)またはアイドルフレーム(Idle Frame)であるかを判断する。前記２０４Ａ段階で最近にＢＴＳから受信した逆方向ＳＣＨメッセージのフレーム内容がナルフレームでもアイドルフレームでもない場合には、２０５Ａ段階でＢＳＣ−ＳＤＵは一番最近にＢＴＳから受信した逆方向ＳＣＨメッセージのフレーム内容(Frame Content)がイレイザーフレーム(Erasure Frame)であるかを確認する。イレイザーフレームであることが確認されない場合には、２０６−１Ａ段階でＢＳＣ−ＳＤＵは逆方向の電力制御情報(Reverse：Outer Loop Threshold：以下、Reverse：ＯＬＴ)を２０ｍｓごとにＢＴＳから受信された前記逆方向ＳＣＨメッセージに含まれた電力制御情報(ＦＱＩ、Reverse Link Quality)を参照して内部的に指定する。逆方向ＳＣＨメッセージには順方向の制御情報がないので、逆方向ＦＣＨ／ＤＣＣＨメッセージに含まれたＦＰＣ：ＳＮＲ(signal to Ratio)値を参照して順方向の電力制御変数であるＦＰＣ：ＧＲ(Gain Ratio)を指定する。この時、ＭＳに伝送するデータがないので、２０７−１段階でＢＳＣ−ＳＤＵはデータがない順方向ＳＣＨメッセージを生成し、前記生成された順方向ＳＣＨメッセージをＢＴＳに伝送する。
【００２０】
前記２０５Ａ段階で一番最近にＢＴＳから受信した逆方向ＳＣＨメッセージのフレーム内容がイレイザーフレームであることが確認される場合、２０６−２Ａ段階でＢＳＣ−ＳＤＵは逆方向の電力を増加(up)させるように、順方向ＳＣＨメッセージの逆方向電力制御情報を指定する。この時、ＭＳに伝送するデータがないので、前記２０７−１段階でＢＳＣ−ＳＤＵはどのデータもない順方向ＳＣＨメッセージを生成し、前記生成された順方向ＳＣＨメッセージをＢＴＳに伝送する。
【００２１】
前記２０４Ａ段階で最近にＢＴＳから受信した逆方向ＳＣＨメッセージのフレーム内容がナルフレームまたはアイドルフレームであることが確認される場合には、ＢＳＣ−ＳＤＵはＢＴＳから２０ｍｓごとに受信された逆方向ＳＣＨメッセージに含まれた既存の電力制御情報をそのまま維持する。前記電力制御情報はＢＴＳからデータフレームまたはイレイザーフレームが受信されるまで維持される。即ち、前記２０６−３Ａ段階でＢＳＣ−ＳＤＵは逆方向電力制御情報を以前の値と同一に内部的に指定するか、順方向ＦＣＨ／ＤＣＣＨのReverse:ＯＬＴに比例するように指定し、順方向の電力制御変数であるＦＰＣ：ＧＲを逆方向ＦＣＨ／ＤＣＣＨのＦＰＣ：ＳＮＲに基づいて指定する。この時、ＭＳに伝送するデータがないので、前記２０７−１段階でＢＳＣ−ＳＤＵはどのデータもない順方向ＳＣＨメッセージを生成し、前記生成された順方向ＳＣＨメッセージをＢＴＳに伝送する。
【００２２】
前記２０２段階で、ＭＳに伝送するデータがあることが確認される場合、図４Ｂの２０３−２段階でＢＳＣ−ＳＤＵは順方向ＳＣＨのフレーム内容(Frame Content)をデータフレーム(Data frame)に指定する。その後、前記２０４Ｂ段階乃至２０６−３Ｂ段階は２０４Ａ段階乃至２０６−３Ａ段階と同一の動作を遂行する。
【００２３】
前記２０４Ｂ段階で一番最近にＢＴＳから受信した逆方向ＳＣＨメッセージのフレーム内容がナルフレームまたはアイドルフレームであるかを確認する。ナルフレームでもアイドルフレームでもない場合に、２０５Ｂ段階でＢＳＣ−ＳＤＵは一番最近にＢＴＳから受信した逆方向ＳＣＨメッセージのフレーム内容(Frame Content)がイレイザーフレーム(Erasure Frame)であるかを確認する。イレイザーフレームであることが確認されない場合には、２０６−１Ｂ段階でＢＳＣ−ＳＤＵはＢＴＳから受信された逆方向ＳＣＨメッセージに含まれた電力制御情報を参照して順方向ＳＣＨメッセージの電力制御情報を指定する。この時、ＭＳに伝送するデータがあるので、２０７−２段階では伝送するデータがある順方向ＳＣＨメッセージを生成し、前記生成された順方向ＳＣＨメッセージをＢＴＳに伝送する。
【００２４】
前記２０５Ｂ段階で一番最近にＢＴＳから受信した逆方向ＳＣＨメッセージのフレーム内容がイレイザーフレームであることが確認される場合は、２０６−２Ｂ段階でＢＳＣ−ＳＤＵは逆方向の電力を増加(up)させるように、順方向ＳＣＨメッセージの逆方向電力制御情報を指定する。この時、ＭＳに伝送するデータがあるので、２０７−２段階でＢＳＣ−ＳＤＵは伝送するデータがある順方向ＳＣＨメッセージを生成し、前記生成された順方向ＳＣＨメッセージをＢＴＳに伝送する。
【００２５】
前記２０４Ｂ段階で最近にＢＴＳから受信した逆方向ＳＣＨメッセージのフレーム内容がナルフレームまたはアイドルフレームであることが確認される場合に、ＢＳＣ−ＳＤＵはＢＴＳから２０ｍｓごとに受信された逆方向ＳＣＨメッセージに含まれた電力制御情報をそのまま維持する。前記電力制御情報はＢＴＳからデータフレームまたはイレイザーフレームが受信されるまで維持される。即ち、前記２０６−３Ｂ段階でＢＳＣ−ＳＤＵは順方向ＳＣＨメッセージの電力制御情報を以前の値と同一に指定する。この時、ＭＳに伝送するデータがあるので、２０７−２段階でＢＳＣ−ＳＤＵは伝送するデータがある順方向ＳＣＨメッセージを生成し、前記生成された順方向ＳＣＨメッセージをＢＴＳに伝送する。
【００２６】
図５は従来技術による逆方向ＳＣＨメッセージ受信動作の処理流れを示す図である。このような処理流れはＢＳＣ−ＳＤＵがＢＴＳから予め設定された周期(例:２０ｍｓ)に逆方向ＳＣＨメッセージを受信して処理する流れである。
【００２７】
前記図５を参照すると、３００段階でＢＳＣ−ＳＤＵはＢＴＳから２０ｍｓごとに逆方向ＳＣＨメッセージを受信する。３０１段階でＢＳＣ−ＳＤＵは前記３００段階で受信されたメッセージのフレーム内容(Frame Content)がイレイザーフレーム(Erasure frame)であるかを判断する。前記受信されたフレームがイレイザーフレームである場合には３０４段階に進行し、イレイザーフレームではない場合には３０２段階に進行する。イレイザーフレームが受信されたとは、ＢＴＳがＭＳから受信したフレームの品質がよくないことを意味する。従って、３０４段階でＢＳＣ−ＳＤＵは受信された逆方向ＳＣＨメッセージのすべての情報を無視し、逆方向電力を増加させるための順方向ＳＣＨメッセージを生成し、ＢＴＳに伝送する。
【００２８】
前記３０１段階で受信された逆方向ＳＣＨフレームがイレイザーフレームではないことが判断される場合には、３０２段階でＢＳＣ−ＳＤＵは受信されたフレームのフレーム内容(Frame Content)がアイドルフレーム(Idle frame)であるかを判断する。アイドルフレームである場合には、３０４−１段階でＢＳＣ−ＳＤＵは受信された逆方向ＳＣＨメッセージのすべての情報を無視し、ＢＴＳがＭＳからの無線専用資源をまだ認識しないか、割り当てないことを判断し、ＭＳに対する逆方向電力制御情報に初期値をそのまま使用するように指定し、逆方向ＦＣＨ／ＤＣＣＨメッセージに存在する逆方向パイロットチャネル(Reverse Pilot Channel)のエネルギーに基づいてＦＰＣ：ＧＲを指定する。
【００２９】
前記３０２段階で受信された逆方向ＳＣＨメッセージがアイドルフレームではないことが判断される場合には、３０３段階でＢＳＣ−ＳＤＵは受信したフレームのフレーム内容(Frame Content)がナルフレーム(Null frame)であるかを判断する。ナルフレームである場合には、３０４−２段階でＢＳＣ−ＳＤＵは受信された逆方向ＳＣＨメッセージのすべての情報を無視し、現在ＭＳとＢＴＳ間の逆方向チャネルがＤＴＸモード区間であることを認識して、ＭＳに対する逆方向電力制御情報はＤＴＸを判断される前の電力制御情報をそのまま使用するように指定する。そして、順方向電力制御情報は逆方向ＳＣＨメッセージに存在しないので、逆方向ＦＣＨ／ＤＣＣＨメッセージに存在する逆方向パイロットチャネル(Reverse pilot channel)のエネルギー値に基づいてＦＰＣ：ＧＲを指定する。即ち、前記３０４−２段階でＢＳＣ−ＳＤＵは逆方向ＳＣＨメッセージの電力制御情報を無視し、ＤＴＸを判断される前の電力制御情報をＭＳに対する逆方向電力制御情報に指定する。
【００３０】
前記３０３段階で逆方向ＳＣＨメッセージがナルフレームではないことが判断される場合は、受信したメッセージがデータフレーム(Data Frame)であることを意味するので、３０４−３段階でＢＳＣ−ＳＤＵはＢＴＳから受信した逆方向ＳＣＨメッセージの逆方向リンク情報(Reverse Link Information)に含まれたデータをデータの種類(packet)に従って該当するデータ処理装置(図示さず)に伝送し、逆方向電力制御情報を参照して順方向ＦＣＨ／ＤＣＣＨメッセージのReverse：ＯＬＴを調整する。順方向電力制御情報は逆方向ＳＣＨメッセージに存在しないので、前記逆方向パイロットチャネルのエネルギー値に基づいてＦＰＣ：ＧＲを指定する。即ち、前記３０４−３段階でＢＳＣ−ＳＤＵは逆方向ＳＣＨメッセージの電力制御情報を分析して、ＭＳに対する逆方向電力制御情報を決定する。
【００３１】
図６は従来技術による順方向ＳＣＨメッセージの受信処理流れを示す図である。このような処理流れは、ＢＴＳがＢＳＣ−ＳＤＵから予め設定された周期(例:２０ｍｓ)ごとに順方向ＳＣＨメッセージを受信して処理する流れである。
【００３２】
前記図６を参照すると、４００段階でＢＴＳはＢＳＣから２０ｍｓごとに順方向ＳＣＨメッセージを受信する。４０１段階でＢＴＳは受信した順方向ＳＣＨメッセージのフレーム内容(Frame Content)がアイドルフレーム(Idle Frame)であるかを判断する。アイドルフレームである場合には、４０３段階でＢＴＳは受信された順方向ＳＣＨメッセージのすべての情報を分析し、順方向ＦＣＨ／ＤＣＣＨメッセージの逆方向電力制御情報を逆方向電力制御情報として使用し、順方向ＳＣＨメッセージの順方向電力制御情報を順方向電力制御情報として使用する。
【００３３】
前記４０１段階で順方向ＳＣＨメッセージがアイドルフレームではないことが判断される場合には、４０２段階でＢＴＳは前記順方向ＳＣＨメッセージのフレーム内容(Frame Content)がナルフレーム(Null frame)であるかを判断する。ナルフレームである場合には、４０３−１段階でＢＴＳは受信された順方向ＳＣＨメッセージのすべての情報を分析し、前記順方向ＦＣＨ／ＤＣＣＨメッセージの逆方向電力制御情報を順方向電力制御情報として、順方向ＳＣＨメッセージの順方向電力制御メッセージを順方向電力制御情報として電力制御処理部(図示さず)に伝送する。この時、順方向電力制御情報はナルフレームが受信される前の値に維持するか、ＦＣＨ／ＤＣＣＨのＦＰＣ：ＧＲ値に同一にまたは比例するように調整する。
【００３４】
前記４０２段階で順方向ＳＣＨメッセージがナルフレームではないことが判断される場合は、受信したメッセージがデータフレーム(Data Frame)であることを意味するので、４０３−２段階でＢＴＳは受信された順方向ＳＣＨメッセージのすべての情報を分析し、前記順方向ＦＣＨ／ＤＣＣＨメッセージの逆方向電力制御情報を逆方向電力制御情報として、順方向ＳＣＨメッセージの順方向電力制御情報を順方向電力制御情報として電力制御処理部に伝送する。図７は基本チャネル形態の使用者トラヒックサブチャネル上でＢＳＣからＢＴＳへ伝送されるメッセージの構造を示した図である。前記メッセージは移動局に向ける順方向トラヒックチャネルフレームを伝送するのに使用される。前記メッセージは同一ＢＳ内のＢＴＳとＢＳＣ間にまたは異なるＢＳ内のＢＴＳとＢＳＣ間にも伝送されることができる。ただ、該当するインタフェースに従って名称のみが異なるだけである。例えば、同一ＢＳ内にある場合は、“Abis ＳＣＨ Forward”とし、異なるＢＳ内にある場合は、“Ａ３ ＳＣＨ Forward”とする。
【００３５】
図８は順方向ＣＤＭＡラヒックチャネルフレームとＳＤＵから対象ＢＴＳ方向に向けるパケットのための制御情報を示すForward Layer３ＳＣＨ Data情報要素(Information Element)の一例を示す図である。
【００３６】
図９はＢＴＳからＢＳＣへの基本チャネル形態の使用者トラヒックサブチャネル上で伝送されるメッセージを示した図である。前記メッセージはＢＴＳでデコーディングされた逆方向トラヒックチャネルフレームと制御情報を伝送するのに使用される。前記メッセージは同一ＢＳ内のＢＴＳとＢＳＣ間にまたは異なるＢＳ内のＢＴＳとＢＳＣ間にも伝送されることができる。ただ、該当するインタフェースに従って名称のみが異なるだけである。例えば、同一ＢＳ内にある場合は、“Abis ＳＣＨ Forward”とし、異なるＢＳ内にある場合は、“Ａ３ ＳＣＨ Forward”とする。
【００３７】
図１０は逆方向ＣＤＭＡトラヒックチャネルフレームと対象ＢＴＳからＳＤＵに向けるパケットのための制御情報を示すForward Layer３ＳＣＨ Data情報要素(Information Element)の一例を示す図である。
【００３８】
上述した内容に基づいて既存方式の問題点を説明すると次のようである。以下、説明される問題点は無線区間ではない、基地局システムで発生する問題点を説明している。
【００３９】
問題点１．ＦＣＨ／ＤＣＣＨに対する電力制御の従属性
既存の方法で、ＳＣＨに対する電力制御は、ＦＣＨ／ＤＣＣＨの電力制御に比例するか、従属関係を有して遂行された。しかし、ＳＣＨとＦＣＨ／ＤＣＣＨは特徴が異なるチャネルである。ＳＣＨはデータトラヒックの専用のためのものであるので、信号と使用者トラヒックを同時に伝達することができるＦＣＨ／ＤＣＣＨに比べて要求されるＦＥＲが相対的に高い。従って、ＳＣＨをＦＣＨ／ＤＣＣＨに従属して電力制御することは不正確である。
【００４０】
問題点２．順方向ＳＣＨのＤＴＸ区間の間、移動局の状態を基地局が確認できる方法の不在
ＳＣＨがＤＴＸモードに設定されている場合に、基地局はＤＴＸ区間の間、移動局の状態を確認できない。これは前記ＤＴＸ区間及びその以後の電力制御が不正確になる結果をもたらす。
【００４１】
問題点３．順方向ＳＣＨが設定された時、ＳＣＨ低速電力制御とＤＣＣＨ低速／高速(Slow/Fast)電力制御方案
既存の方法では、順方向ＳＣＨに対する低速電力制御は支援されなかった。ＳＣＨの電力制御はＦＣＨ／ＤＣＣＨの電力制御に比例するか、従属して遂行された。従って、順方向ＳＣＨの低速電力制御のための順方向電力制御モード定義とＤＣＣＨの高速／低速電力制御を支援するための方案が要求されている。
【００４２】
【発明が解決しようとする課題】
従って、本発明の目的は、符号分割多元接続移動通信システムで、順方向／逆方向付加チャネル上で、不連続伝送(ＤＴＸ)モード区間の間、電力制御を効果的に支援するための方法を提供することにある。
本発明の他の目的は、符号分割多元接続移動通信システムで、ＳＣＨに対する順方向電力制御をＦＣＨ／ＤＣＣＨと独立的に遂行するための方法を提供することにある。
本発明のさらに他の目的は、符号分割多元接続移動通信システムで、ＳＣＨ低速電力制御と共に、ＤＣＣＨの高速／低速電力制御を遂行するための方法を提供することにある。
【００４３】
【課題を解決するための手段】
前記目的を達成するための本発明は、移動通信システムで、基地局(ＢＴＳ)が基地局制御器(ＢＳＣ)に電力制御情報を送信するための方法が、基地局制御器から低速電力制御を指定する順方向電力制御モード情報を受信し、移動局に伝送する過程と、前記順方向電力制御モード情報に従って移動局から受信された逆方向パイロットチャネルからフレーム区間内に一つの電力制御命令を示すイレイザー指示ビット(Eraser indicator bit、ＥＩＢ)を抽出する過程と、前記抽出されたイレイザー指示ビットの状態を決定する過程と、前記決定されたイレイザー指示ビットの状態情報を含む逆方向付加チャネルメッセージを前記基地局制御器に伝送する過程と、を含むことを特徴とする。
【００４４】
【発明の実施の形態】
以下、本発明の望ましい実施形態を添付図を参照しつつ詳細に説明する。下記の発明において、本発明の要旨のみを明瞭にする目的で、関連した公知機能又は構成に関する具体的な説明は省略する。
【００４５】
本発明は符号分割多元接続移動通信システムで、大容量のデータを処理することができる無線チャネル環境を基地局(ＢＴＳ)と基地局制御器(ＢＳＣ)で支援することができる方式に関するもので、特に大容量データを伝送する付加チャネル(ＳＣＨ)の順方向低速電力制御を基地局(ＢＴＳ)と基地局制御器(ＢＳＣ)で支援することができる方法に関する。
【００４６】
図１１は本発明の実施形態による逆方向ＳＣＨメッセージ送信動作の処理流れを示す図である。このような動作はＢＴＳがＭＳから予め設定された周期に受信されるフレームを逆方向ＳＣＨメッセージとしてＢＳＣ−ＳＤＵに伝送する処理流れを示す図である。
【００４７】
前記図１１を参照すると、先ず１００１段階でＢＴＳはＭＳとの無線資源を確保し、ＭＳを捕捉(acquisition)しているかを確認する。前記１００１段階でＭＳとの無線資源を確保及びＭＳを捕捉していないことが確認される場合には、１００４段階で現在ＭＳと逆方向に同期を合わせている状態であることを判断し、ＢＳＣ−ＳＤＵとＢＴＳ間にも同期を合わせるために、図１３に示されたＩＳ−２０００逆方向ＳＣＨメッセージ中でフレーム内容(Frame Content)をアイドルフレーム(Idle Frame)に指定する。ＢＳＣ−ＳＤＵとＢＴＳ間に同期を合わせている中であるので、１００５段階でＢＴＳはＢＳＣ−ＳＤＵに伝送する逆方向ＳＣＨメッセージ中で、電力制御に関連された情報をＢＳＣ−ＳＤＵが無視できるように指定する。１００６段階ではＢＴＳはＩＳ−２０００逆方向ＳＣＨメッセージを生成し、ＢＳＣ−ＳＤＵに伝送する。
【００４８】
一方、ＭＳとの無線資源を獲得し、ＭＳを捕捉していることが確認される場合に、１００２段階でＢＴＳはＭＳから受信したデータフレーム(Data Frame)の品質(Quality)を確認する。前記データフレームの品質が悪い場合に、１００４−１段階でＢＴＳは逆方向ＳＣＨメッセージのフレーム内容をイレイザーフレーム(Erasure Frame)に指定する。１００５−１段階でＢＴＳはＢＳＣ−ＳＤＵに伝送する逆方向ＳＣＨメッセージの電力制御情報をＢＳＣ−ＳＤＵが無視できるように指定する。１００６−１段階でＢＴＳはＭＳからの受信フレームの品質が良くない状態であるので、どのようなデータもないＩＳ−２０００逆方向ＳＣＨメッセージを生成し、ＢＳＣ−ＳＤＵに伝送する。すると、ＢＳＣ−ＳＤＵはイレイザーフレーム(Erasure Frame)を認識し、ＭＳから受信したデータフレームの品質がよくないので、ＭＳが電力を増加させ、データフレームを伝送するように要求することである。
【００４９】
前記１００２段階で受信データフレームの品質がよいことが確認される場合に、１００３段階でＢＴＳはＭＳから逆方向ＳＣＨフレームを受信する間、ＤＴＸモード(または不連続伝送区間)であるかを検出(detect)する。この時、ＤＴＸモードの検出方法は、既存のＭＳとＢＴＳ間の無線区間でＤＴＸモードを検出する方法をそのまま使用することができる。ＤＴＸモードが検出されない場合には、１００４−２段階に進行し、ＤＴＸモードが検出される場合には１００４−３段階に進行する。
【００５０】
前記１００４−２段階でＢＴＳは逆方向ＳＣＨメッセージのフレーム内容(Frame Content)をデータフレーム(Data Frame)に指定する。１００５−２段階ではＢＴＳは逆方向ＳＣＨメッセージのＦＱＩと逆方向リンク品質を既存の方案と同一に指定する。即ち、逆方向ＳＣＨフレームのＣＲＣ検査に対する判定値は‘ＦＱＩ’に、逆方向ＳＣＨフレームの受信強さは‘逆方向リンク品質’に指定する。順方向電力制御に該当する場合、ＦＰＣ_ＭＯＤＥの状態に従って、逆方向パイロットチャネルから電力制御情報(ＰＣＢまたはＥＩＢ)を抽出する。ここで、前記電力制御ビット(ＰＣＢ: Power Control Bit)が受信される場合、２０ｍｓフレーム区間の間、１６個の電力制御命令が存在するようになり、前記イレイザー指示ビット(ＥＩＢ:Eraser indicator biｔ)が受信される場合、２０ｍｓフレーム区間の間、１個の電力制御命令が存在するようになる。移動局は逆方向パイロットチャネルを通じて２０ｍｓフレーム区間の間、順方向電力制御モード(ＦＰＣ_ＭＯＤＥ)に従って、少なくとも一つの電力制御命令を伝送する。ここで、前記２０ｍｓフレーム区間を１６個のスロットに分けた場合、一つのスロットを電力制御群(ＰＣＧ:Power Control group)とし、４個の電力制御群を電力制御サブチャネル(power control sub-channel)とする。前記逆方向パイロットチャネルがＰＣＢを伝送するＦＰＣ_ＭＯＤＥ＝００１または０１０の場合、４００または２００ｂｐｓに高速電力制御(fast power control)を遂行し、逆方向ＳＣＨメッセージのＥＩＢを‘０’に指定する。この場合、ＢＳＣはＥＩＢを無視する。しかし、ＥＩＢが伝送されるＦＰＣ_ＭＯＤＥ＝１０１または１１０の場合、低速電力制御(slow power control)を遂行し、２０ｍｓフレームデコーディング後、ＥＩＢに対する判定値を逆方向ＳＣＨメッセージのＥＩＢに指定する(図１３参照)。１００６−２段階でＢＴＳはＭＳからの２０ｍｓ受信フレーム内にあるデータをカプセル化して、図１３に示したようなＩＳ−２０００逆方向ＳＣＨメッセージを生成し、生成されたＩＳ−２０００逆方向ＳＣＨメッセージをＢＳＣ−ＳＤＵに伝送する。
【００５１】
前記１００３段階でＤＴＸモードが検出される場合には、図１１Ｂの１００４−３段階でＢＴＳは逆方向ＳＣＨメッセージのフレーム内容をナルフレーム(NULL Frame)に指定する。１００５−３段階で逆方向電力制御である場合、ＢＴＳはＦＱＩ(Frame Quality Indicator)は‘０’に指定し、逆方向リンク品質(Reverse Link Quality)には逆方向パイロットチャネルの受信エネルギー(Ec／Io)値を指定する。即ち、ＳＣＨがＤＴＸモード内である場合、逆方向パイロットチャネルを基準にしてＳＣＨの逆方向電力制御を遂行する。順方向電力制御の場合には、順方向電力制御モードに従って逆方向パイロットチャネルから電力制御情報(ＰＣＢまたはＥＩＢ)を抽出する。前記逆方向パイロットチャネルがＰＣＢを伝送するＦＰＣ_ＭＯＤＥ＝００１または０１０の場合、４００または２００ｂｐｓに高速電力制御(fast power control)を遂行し、逆方向ＳＣＨメッセージのＥＩＢ値を‘０’に指定する。この場合、ＢＳＣはＥＩＢを無視する。しかし、ＥＩＢが伝送されるＦＰＣ_ＭＯＤＥ＝１０１または１１０の場合、低速電力制御を遂行し、２０ｍｓフレームデコーディング後、ＥＩＢに対する判定値を逆方向ＳＣＨメッセージのＥＩＢに指定する(図１３参照)。１００６−３段階でＢＴＳは受信された２０ｍｓフレームにデータがないので、どのようなデータもない図１３に示したようなＩＳ−２０００逆方向ＳＣＨメッセージを生成し、前記生成されたＩＳ−２０００逆方向ＳＣＨメッセージをＢＳＣ−ＳＤＵに伝送する。
【００５２】
図１４Ａ及び図１４Ｂは本発明による順方向ＳＣＨメッセージ送信動作の処理流れを示す図である。このような動作は、ＢＳＣ−ＳＤＵが予め設定された周期(２０ｍｓ)に順方向ＳＣＨメッセージをＢＴＳに伝送する処理流れである。
【００５３】
前記図１４Ａを参照すると、２００１段階でＢＳＣ−ＳＤＵはＭＳとの順方向無線資源を確保し、ＭＳを捕捉(acquisition)しているかを確認する。ＭＳとの順方向無線資源確保及びＭＳを捕捉していない場合に、２００３段階でＢＳＣ−ＳＤＵは現在ＭＳと順方向に同期を合わせている状態を確認し、ＢＳＣ−ＳＤＵとＢＴＳ間に同期を合わせるために、ＩＳ−２０００順方向ＳＣＨメッセージのフレーム内容(Frame Content)をアイドルフレーム(Idle Frame)に指定する。この時、同期を合わせている途中であるので、２００６段階でＢＳＣ−ＳＤＵはＢＴＳに伝送する順方向ＳＣＨメッセージの電力制御情報を適切に指定する。この時、順方向電力制御情報はＭＳを制御するための初期値に指定できるようにし、逆方向電力制御情報はＢＴＳから２０ｍｓごとに受信される逆方向ＳＣＨメッセージ内に含まれている電力制御情報を参照して指定する。即ち、前記逆方向電力制御情報は逆方向ＳＣＨメッセージの電力制御情報(ＦＱＩ、Reverse Link Quality)を参照して、ＦＣＨ／ＤＣＣＨと同一にまたは比例するように指定する。必要な場合、順方向ＦＣＨ／ＤＣＣＨメッセージのReverse：ＯＬＴを通じて一括調整することもできる。２００７段階で、ＢＳＣ−ＳＤＵは前記電力制御情報が指定された順方向ＳＣＨメッセージをＢＴＳに伝送する。この時、伝送される順方向ＳＣＨメッセージにはどのようなデータも入れていない。
【００５４】
一方、前記２００１段階で、ＭＳとの無線資源確保及びＭＳを捕捉していることが確認される場合に、２００２段階でＢＳＣ−ＳＤＵはＭＳに伝送するデータがあるかまたは逆方向パイロットの受信信号対雑音比(ＳＮＲ)が良くないので順方向でＤＴＸモードに動作すべきであるかを確認する。ＭＳに伝送するデータがない場合には、２００３−１段階に進行し、ＭＳに伝送するデータがある場合には、図１４Ｂの２００３−２段階に進行する。
【００５５】
前記２００３−１段階で、ＢＳＣ−ＳＤＵは順方向ＳＣＨメッセージのフレーム内容(Frame Content)をナルフレーム(Null Frame)に指定する。その後、２００４Ａ段階でＢＳＣ−ＳＤＵは一番最近にＢＴＳから受信した逆方向ＳＣＨメッセージのフレーム内容(Frame Content)がナルフレーム(Null Frame)またはアイドルフレーム(Idle Frame)であるかを判断する。前記逆方向ＳＣＨメッセージのフレーム内容がナルフレームでもアイドルフレームでもない場合には、２００５Ａ段階でＢＳＣ−ＳＤＵは一番最近にＢＴＳから受信した逆方向ＳＣＨメッセージのフレーム内容(Frame Content)がイレイザーフレーム(Erasure Frame)であるかを確認する。イレイザーフレームであることが確認されない場合には、２００６−１Ａ段階でＢＳＣ−ＳＤＵは逆方向ＳＣＨメッセージのＥＩＢに基づいて順方向電力制御(ＦＰＣ：ＧＲ)のための基準値を指定し、ＥＴＳから２０ｍｓごとに受信された逆方向ＳＣＨメッセージの電力制御情報(ＦＱＩ、Reverse Link Quality)を参照してＦＣＨ／ＤＣＣＨと同一にまたは比例するように逆方向電力制御情報を内部的に指定する。必要な場合、順方向ＦＣＨ／ＤＣＣＨのReverse：ＯＬＴを通じて一括調整する。この時、ＭＳに伝送するデータがないので、２００７−１段階でＢＳＣ−ＳＤＵはデータがない順方向ＳＣＨメッセージを生成し、前記生成された順方向ＳＣＨメッセージをＢＴＳに伝送する。
【００５６】
前記２００５Ａ段階で一番最近にＢＴＳから受信した逆方向ＳＣＨメッセージのフレーム内容がイレイザーフレームであることが確認される場合には、２００６−２Ａ段階で、ＢＳＣ−ＳＤＵは逆方向の電力を増加(up)させるように、順方向ＦＣＨ／ＤＣＣＨメッセージの逆方向電力制御情報を指定する。ここで、前記順方向ＦＣＨ／ＤＣＣＨメッセージを通じて逆方向電力制御情報を指定する理由は、順方向ＳＣＨメッセージにReverse：ＯＬＴのような逆方向電力制御のためフィルドがないためである。２００７−１段階で、前記ＢＳＣ−ＳＤＵはどのようなデータもない順方向ＳＣＨメッセージを生成し、前記生成された順方向ＳＣＨメッセージをＢＴＳに伝送する。
【００５７】
前記２００４Ａ段階で一番最近にＢＴＳから受信した逆方向ＳＣＨメッセージのフレーム内容がナルフレームまたはアイドルフレームであることが確認される場合には、２００６−３Ａ段階でＢＳＣ−ＳＤＵはＢＴＳからデータフレームまたはイレイザーフレームが受信されるまで、以前の逆方向電力制御情報を維持するか、ＦＣＨ／ＤＣＣＨの逆方向電力制御情報(Reverse:OLT)に比例するように指定する。また前記ＢＳＣ−ＳＤＵは逆方向ＳＣＨメッセージのＥＩＢの値に基づいて順方向電力制御のための基準値(ＦＰＣ：ＧＲ)を指定する(図８の順参照)。２００７−１段階で、前記ＢＳＣ−ＳＤＵはどのようなデータもない順方向ＳＣＨメッセージを生成し、前記生成された順方向ＳＣＨメッセージをＢＴＳに伝送する。
【００５８】
前記２００２段階でＭＳに伝送するデータがあることが確認される場合、図１４Ｂの２００３−２段階でＢＳＣ−ＳＤＵは順方向ＳＣＨメッセージのフレーム内容(Frame Content)をデータフレームに指定する。その後、２００４Ｂ乃至２００６−３Ｂ段階は２００４Ａ乃至２００６−３Ａ段階と同一の方式で遂行される。前記２００４Ｂ段階で、ＢＳＣ−ＳＤＵは一番最近にＢＴＳから受信した逆方向ＳＣＨメッセージのフレーム内容がナルフレームまたはアイドルフレームであるかを判断する。
【００５９】
前記逆方向ＳＣＨメッセージのフレームがナルフレームでもアイドルフレームでもない場合に、２００５Ｂ段階でＢＳＣ−ＳＤＵは一番最近にＢＴＳから受信した逆方向ＳＣＨメッセージのフレーム内容(Frame Content)がイレイザーフレーム(Erasure Frame)であるかを確認する。イレイザーフレームであることが確認されない場合には、２００６−１Ｂ段階でＢＳＣ−ＳＤＵはＢＴＳから２０ｍｓごとに受信される逆方向ＳＣＨメッセージ内に含まれている電力制御情報を参照して図８に示したような順方向ＳＣＨメッセージの電力制御情報を指定する。この時、ＭＳに伝送するデータがあるので、２００７−２段階では伝送するデータをカプセル化(encapsulation)して順方向ＳＣＨメッセージを生成し、前記生成された順方向ＳＣＨメッセージをＢＴＳに伝送する。
【００６０】
前記２００５Ｂ段階で一番最近にＢＴＳから受信した逆方向ＳＣＨメッセージのフレーム内容がイレイザーフレームであることが確認される場合、２００６−２Ｂ段階でＢＳＣ−ＳＤＵは逆方向の電力を増加(up)させるように、順方向ＦＣＨ／ＤＣＣＨメッセージの逆方向電力制御情報を指定する。この時、ＭＳに伝送するデータがあるので、２００７−２段階でＢＳＣ−ＳＤＵは伝送するデータがある順方向ＳＣＨメッセージを生成し、前記生成された順方向ＳＣＨメッセージをＢＴＳに伝送する。
【００６１】
前記２００４Ｂ段階で一番最近にＢＴＳから受信した逆方向ＳＣＨメッセージのフレーム内容がナルフレームまたはアイドルフレームである場合、２００６−３Ｂ段階でＢＳＣ−ＳＤＵはＢＴＳからデータフレームまたはイレイザーフレームが受信されるまで既存の逆方向電力制御情報を維持するか、ＦＣＨ／ＤＣＣＨの逆方向電力制御情報(Reverse:OLT)に比例するように指定する。また前記ＢＳＣ−ＳＤＵは逆方向ＳＣＨメッセージのＥＩＢ値に基づいて順方向電力制御の基準値(ＦＰＣ：ＧＲ)を指定する(図８の参照)。この時、ＭＳに伝送するデータがあるので、２００７−２段階でＢＳＣ−ＳＤＵは伝送するデータがある順方向ＳＣＨメッセージを生成し、前記生成された順方向ＳＣＨメッセージをＢＴＳに伝送する。
【００６２】
図１５は本発明による逆方向ＳＣＨメッセージ受信動作の処理流れを示す図である。このような処理流れは、ＢＳＣ−ＳＤＵがＢＴＳから予め設定された周期(例：２０ｍｓ)ごとに逆方向ＳＣＨメッセージを受信して処理する流れである。
【００６３】
前記図１５を参照すると、３０００段階でＢＳＣ−ＳＤＵはＢＴＳから２０ｍｓごとに逆方向ＳＣＨメッセージを受信する。３００１段階でＢＳＣ−ＳＤＵは前記受信されたメッセージのフレーム内容(Frame Content)がイレイザーフレーム(Erasure frame)であるかを判断する。前記３００１段階でイレイザーフレームである場合には３００４段階に進行し、イレイザーフレームではない場合には３００２段階に進行する。イレイザーフレームが受信されたとはＢＴＳがＭＳから受信したフレームの品質(quality)がよくないことを意味するので、３００４段階でＢＳＣ−ＳＤＵはＢＴＳから受信された逆方向ＳＣＨメッセージのすべての情報を無視し、順方向ＦＣＨ／ＤＣＣＨメッセージのReverse：ＯＬＴに逆方向電力の増加をさせるように指定する。
【００６４】
前記３００１段階でイレイザーフレームではないことが判断される場合には、３００２段階でＢＳＣ−ＳＤＵは受信されたメッセージのフレーム内容(Frame Content)がアイドルフレーム(Idle frame)であるかを判断する。アイドルフレームである場合には、３００４−１段階でＢＳＣ−ＳＤＵはＢＴＳがＭＳからの無線専用資源をまだ認識しないか、割り当てないことを判断して、ＭＳの逆方向電力制御情報をＦＣＨ／ＤＣＣＨメッセージのReverse：ＯＬＴで初期値としてそのまま使用する。前記ＢＳＣ−ＳＤＵは順方向電力制御情報が順方向ＳＣＨメッセージ内の逆方向ＳＣＨメッセージのＥＩＢに基づいて低速電力制御を要求するように指定し、それに対する結果にＦＣＨ／ＳＣＨメッセージのＦＰＣ：ＧＲを指定する。
【００６５】
前記３００２段階でアイドルフレームではないことが判断される場合には、３００３段階でＢＳＣ−ＳＤＵは受信したメッセージのフレーム内容(Frame Content)がナルフレーム(Null frame)であるかを判断する。前記３００３段階でナルフレームであることが判断される場合には、３００４−２段階でＢＳＣ−ＳＤＵは逆方向ＳＣＨメッセージのすべての情報を無視するか、存在するＦＣＨ／ＤＣＣＨメッセージの逆方向電力制御をそのまま参照する。順方向の低速電力制御のために、ＢＳＣ−ＳＤＵは前記逆方向ＳＣＨメッセージのＥＩＢを読み出して以前の順方向フレームに対するエラーを確認して、順方向電力制御のための基準値(Gain ratio)を決定する。
【００６６】
前記３００３段階でナルフレームではないことが判断される場合は、受信したメッセージがデータフレーム(Data Frame)であることを意味するので、３００４−３段階でＢＳＣ−ＳＤＵは前記逆方向ＳＣＨメッセージに含まれた逆方向リンク情報(reverse link information)のデータをデータの種類(type)に従って該当するデータ処理装置に伝送する。そして、ＢＳＣ−ＳＤＵは前記逆方向ＳＣＨメッセージのＥＩＢを読み出して以前の順方向フレームに対するエラーを確認して、順方向電力制御のための基準値(Gain ratio)を決定する。
【００６７】
図１６は本発明による順方向ＳＣＨメッセージ受信処理流れを示す図である。このような処理流れは、ＢＴＳがＢＳＣ−ＳＤＵから予め設定された周期(例：２０ｍｓ)ごとに順方向ＳＣＨメッセージを受信して処理する流れである。
【００６８】
前記図１６を参照すると、４０００段階でＢＴＳはＢＳＣから２０ｍｓごとに順方向ＳＣＨメッセージを受信する。４００１段階でＢＴＳは受信されたメッセージのフレーム内容(Frame Content)がアイドルフレーム(Idle Frame)であるかを判断する。アイドルフレームである場合には、４００３段階でＢＴＳは受信された順方向ＳＣＨメッセージのすべての情報を分析し、逆方向電力制御情報としてＦＣＨ／ＤＣＣＨの逆方向電力制御情報を、順方向電力制御情報として順方向ＳＣＨメッセージの順方向電力制御メッセージを電力制御処理部(図示さず)に伝送する。この時、無線区間の順方向にはどのフレームも伝送しない。
【００６９】
前記４００１段階でアイドルフレームではないことが判断される場合には、４００２段階でＢＴＳは受信された順方向ＳＣＨメッセージのフレーム内容(Frame Content)がナルフレーム(Null Frame)であるかを判断する。ナルフレームである場合には、４００３−１段階でＢＴＳは受信された順方向ＳＣＨメッセージのすべての情報を分析し、ＭＳに対する逆方向電力制御情報としてＦＣＨ／ＤＣＣＨの逆方向電力制御情報を、順方向電力制御情報としてＥＩＢを通じた順方向の低速電力制御値をＮＯＮ−ＤＴＸのように電力制御処理部に伝送する。
【００７０】
前記４００２段階でナルフレームではないことが判断される場合は、データフレームを受信した場合に該当するので、４００３−２段階でＢＴＳは前記受信された順方向ＳＣＨメッセージのすべての情報を分析し、ＭＳに対する逆方向電力制御情報としてＦＣＨ／ＤＣＣＨの逆方向電力制御情報を、順方向電力制御情報としてＥＩＢを通じた順方向低速電力制御値を電力制御処理部に伝送する。この時、無線区間の順方向にはＳＣＨデータフレームを伝送する。
【００７１】
図１７は本発明の実施形態による基地局が端末機から受信される逆方向パイロットチャネルのＰＣＧ(ＰＣＢまたはＥＩＢ)を利用して順方向ＳＣＨ高速／低速電力制御を処理するための手順を示す図である。
【００７２】
前記図１７を参照すると、５０００段階でＢＴＳはＢＳＣから受信したＦＰＣ_ＭＯＤＥの動作時間(action time)を示す信号を受信する。５００１段階でＢＴＳはＦＰＣ_ＭＯＤＥが高速電力制御(０)であるか、低速電力制御(１)であるかを確認する。ここで、前記ＦＰＣ_ＭＯＤＥが高速電力制御を指定する場合、５００２段階でＢＴＳはＦＰＣ_ＭＯＤＥを確認する。前記確認後、５００４段階でＢＴＳはＦＰＣ_ＭＯＤＥが‘００１’または‘０１０’であるか判断する。前記ＦＰＣ_ＭＯＤＥが‘００１’であると判断された場合、５００６段階でＢＴＳは４００ｂｐｓに順方向ＳＣＨ高速電力制御を遂行し、前記ＦＰＣ_ＭＯＤＥが‘０１０’であると判断された場合には、５００６−１段階で６００ｂｐｓに順方向ＳＣＨ高速電力制御を遂行する。
【００７３】
一方、前記５００１段階でＦＰＣ_ＭＯＤＥが低速電力制御を指定する場合、５００３段階でＢＴＳは逆方向パイロットチャネルの電力制御サブチャネル(power control sub channel)の電力制御グループ(ＰＣＧ)中で奇数番目ＳＣＨのＥＩＢ値を２．５ｍｓ周期にデコーディングして８個の値を平均し、５００４−１段階で前記平均値が０または１であるかを判定する。前記ＥＩＢ判定値が１である場合、前記ＢＴＳは５００６−２段階で逆方向ＳＣＨメッセージのＱＩＢ／ＥＩＢを‘１’に指定し、前記ＥＩＢ判定値が０である場合、５００６−３段階で前記逆方向ＳＣＨメッセージのＱＩＢ／ＥＩＢを‘０’に指定する。
【００７４】
ここで、ＦＰＣモードによる電力制御ビット伝送率は下記表１のようである。ここで、５０ｂｐｓは低速電力制御を遂行し、前記５０ｂｐｓより大きいものは高速電力制御を遂行する。一方、本発明による順方向ＳＣＨ低速電力制御関連部分はＦＰＣ_ＭＯＤＥが１０１、１１０部分である。このような順方向低速電力制御モードが指定される場合、移動局は逆方向パイロットチャネルを通じて２０ｍｓフレーム区間の間イレイザー指示ビット(ＥＩＢ)を伝送し、基地局システム(基地局及び基地局制御器)は前記イレイザー指示ビットに基づいて順方向電力制御のための基準値(ＦＰＣ：ＧＲ)を決定する。一方、表１のように、順方向電力制御モードに従って前記順方向ＳＣＨ低速電力制御を遂行する間、ＦＣＨ／ＤＣＣＨは高速／低速電力制御を遂行することができる。
【表１】
0003795399.tif 000002
【００７５】
【発明の効果】
以上のように、ＳＣＨに対する電力制御は既存のＦＣＨ／ＤＣＣＨに従属的に遂行されたが、本発明では少なくとも順方向の電力制御は、ＦＣＨ／ＤＣＣＨと独立的に遂行することができる。そしてＳＣＨのＤＴＸモード区間の間で発生する移動局の受信状態に対する情報を確認することができる利点がある。また、ＳＣＨが存在する時に、ＳＣＨの５０ｂｐｓの独立的な低速電力制御と４００／６００ｂｐｓの高速電力制御をＦＣＨ／ＤＣＣＨの４００／２００ｂｐｓ高速電力制御と５０ｂｐｓ低速電力制御と共に支援することができ、効果的に電力制御を遂行することができる。
【図面の簡単な説明】
【図１】  通常的な移動通信システムのＭＳＣと基地局システム、基地局システムと基地局システム間のデジタル無線インタフェース(Digital Air Interface)に対する３ＧＩＯＳ(Interoperability Specifications)の参照モデル(Reference Model)を示す図である。
【図２】  通常的なＢＴＳとＢＳＣ間のＳＣＨ信号送受信を示す図である。
【図３】  従来技術による逆方向ＳＣＨメッセージ送信動作の処理流れを示す図であり、ＢＴＳがＭＳから予め設定された周期に受信されるフレームを逆方向ＳＣＨメッセージとしてＢＳＣ−ＳＤＵに伝送する処理流れを示す図である。
【図４Ａ】  従来技術による順方向ＳＣＨメッセージ送信動作の処理流れを示す図であり、ＢＳＣ−ＳＤＵが予め設定された周期に順方向ＳＣＨメッセージをＢＴＳに伝送する処理流れを示す図である。
【図４Ｂ】  従来技術による順方向ＳＣＨメッセージ送信動作の処理流れを示す図であり、ＢＳＣ−ＳＤＵが予め設定された周期に順方向ＳＣＨメッセージをＢＴＳに伝送する処理流れを示す図である。
【図５】  従来技術による逆方向ＳＣＨメッセージ受信動作の処理流れを示す図であり、ＢＳＣ−ＳＤＵがＢＴＳから予め設定された周期にＳＣＨ逆方向メッセージを受信して処理する流れを示す図である。
【図６】  従来技術による順方向ＳＣＨメッセージ受信動作の処理流れを示す図であり、ＢＴＳがＢＳＣ−ＳＤＵから予め設定された周期に順方向ＳＣＨメッセージを受信して処理する流れを示す図である。
【図７】  基地局制御器から基地局方向に伝達される順方向ＳＣＨデータフレームを示す図である。
【図８】  基地局制御器から基地局方向に伝達される順方向ＳＣＨデータフレームの詳細構造を示す図である。
【図９】  基地局から基地局制御器方向に伝達される逆方向ＳＣＨデータフレームを示す図である。
【図１０】  基地局から基地局制御器方向に伝達される逆方向ＳＣＨデータフレームの詳細構造を示す図である。
【図１１】  本発明の実施形態による逆方向ＳＣＨメッセージ送信動作の処理流れを示す図であり、ＢＴＳがＭＳから予め設定された周期に受信されるフレームを逆方向ＳＣＨメッセージとしてＢＳＣ−ＳＤＵに伝送する処理流れを示す図である。
【図１２】  本発明の実施形態による基地局から基地局制御器に伝達される逆方向ＳＣＨデータフレームを示す図である。
【図１３】  本発明の実施形態による基地局から基地局制御器に伝達される逆方向ＳＣＨデータフレームの詳細構造を示す図である。
【図１４Ａ】  本発明の実施形態による順方向ＳＣＨメッセージ送信動作の処理流れを示す図であり、ＢＳＣ−ＳＤＵが予め設定された周期に順方向ＳＣＨメッセージをＢＴＳに伝送する処理流れを示す図である。
【図１４Ｂ】  本発明の実施形態による順方向ＳＣＨメッセージ送信動作の処理流れを示す図であり、ＢＳＣ−ＳＤＵが予め設定された周期に順方向ＳＣＨメッセージをＢＴＳに伝送する処理流れを示す図である。
【図１５】  本発明の実施形態による逆方向ＳＣＨメッセージ受信動作の処理流れを示す図であり、ＢＳＣ−ＳＤＵがＢＴＳから予め設定された周期に逆方向ＳＣＨメッセージを受信して処理する流れを示す図である。
【図１６】  本発明の実施形態による順方向ＳＣＨメッセージ受信動作の処理流れを示す図であり、ＢＴＳがＢＳＣ−ＳＤＵから予め設定された周期に順方向ＳＣＨメッセージを受信して処理する流れを示す図である。
【図１７】  本発明の実施形態による移動局から受信された逆方向パイロットチャネルのＰＣＧ(即ち、ＰＣＢまたはＥＩＢ)に基づいて順方向ＳＣＨ高速／低速電力制御を処理する基地局手順を示す図である。
【符号の説明】
２０……ＭＳＣ
３０……ソース基地局システム
４０……対象基地局システム
５０……インターワーキング機能ブロック
６０……ＰＣＦ
７０……ＰＤＳＮ
【図１】
0003795399.tif 000003
【図２】
0003795399.tif 000004
【図３】
0003795399.tif 000005
【図４Ａ】
0003795399.tif 000006
【図４Ｂ】
0003795399.tif 000007
【図５】
0003795399.tif 000008
【図６】
0003795399.tif 000009
【図７】
0003795399.tif 000010
【図８】
0003795399.tif 000011
【図９】
0003795399.tif 000012
【図１０】
0003795399.tif 000013
【図１１】
0003795399.tif 000014
【図１２】
0003795399.tif 000015
【図１３】
0003795399.tif 000016
【図１４Ａ】
0003795399.tif 000017
【図１４Ｂ】
0003795399.tif 000018
【図１５】
0003795399.tif 000019
【図１６】
0003795399.tif 000020
【図１７】
0003795399.tif 000021